(57)【要約】【目的】冷蔵庫にＢＩＢを収容して濃縮飲料を提供する飲料ディスペンサで、効率よくＢＩＢを冷却することができる飲料ディスペンサを提供することを目的とする。【構成】冷蔵庫８からチューブ式ポンプ２０に配する吐出チューブ１０を通す冷蔵庫底板８ａに設けた底板切欠部８ｂと、吐出チューブ１０を通した底板切欠部８ｂを閉塞するＢＩＢチューブガイド１１とを備え、冷蔵庫底板８ａに設けた貫通穴８ｃに回転自在に枢支する突起軸１１ａをＢＩＢチューブガイド１１の一端に設け、ＢＩＢチューブガイド１１の他端には冷蔵庫底板８ａを挟持する底板挟持部１１ｂを設け、貫通穴８ｃに突起軸１１ａを挿入して冷蔵庫底板８ａにＢＩＢチューブガイド１１を取り付ける。【選択図】        図３
2008195406.tif 000002
【特許請求の範囲】
【請求項１】
ＢＩＢに貯蔵している濃縮飲料をカップに供給する飲料ディスペンサにおいて、
前記ＢＩＢを収容して冷蔵保管する冷蔵庫と、
前記ＢＩＢの底部に接続され、貯蔵している濃縮飲料を吐出する吐出チューブと、
前記冷蔵庫の下方に設けられ、前記吐出チューブをしごいて貯蔵している濃縮飲料を吐出させるチューブ式ポンプと、
前記冷蔵庫からチューブ式ポンプに吐出チューブを通す冷蔵庫底板に設けた底板切欠部と、
前記吐出チューブを通した底板切欠部を閉塞するＢＩＢチューブガイドと、を備えていることを特徴とする飲料ディスペンサ。
【請求項２】
前記ＢＩＢチューブガイドには、一端に前記冷蔵庫底板に回転自在に枢支する突起軸を設け、他端には、前記冷蔵庫底板を挟持する底板挟持部を設けたことを特徴とする請求項１に記載の飲料ディスペンサ。
【発明の詳細な説明】
【技術分野】
【０００１】
本発明は、ウーロン茶やジュースなどの飲料を供給する飲料ディスペンサに関するものである。
【背景技術】
【０００２】
飲料ディスペンサは、ウーロン茶、ジュースなどの濃縮飲料を貯蔵するＢＩＢ（Ｂａｇ  Ｉｎ  Ｂｏｘ）を冷蔵庫に収容し、チューブ式ポンプを駆動してＢＩＢに貯蔵している濃縮飲料と冷水回路から供給された希釈水をカップに供給する。または、炭酸ガスボンベから供給される炭酸ガスの圧力でシロップタンクから押し出されたシロップと希釈水や炭酸水を飲料ノズルから吐出してカップに供給するようにしている（例えば、特許文献１参照）。
【特許文献１】特開平９−２６７８９７号公報
【発明の開示】
【発明が解決しようとする課題】
【０００３】
このように、レストランなどで使用する飲料ディスペンサは、ＢＩＢにチューブ式ポンプを組み合わせ、ＢＩＢから柔軟な吐出チューブを通じて注入した濃縮飲料をチューブ式ポンプを駆動して吐出し、冷水回路から供給された希釈水とをカップに供給している。
ＢＩＢは柔軟性のあるプラスチックシートで作られた濃縮飲料入りの袋を箱形ケースに収納したもので、この袋には柔軟な樹脂製の吐出チューブが接続されている。この吐出チューブの配管経路上にチューブ式ポンプを配置し、チューブ式ポンプに配した吐出チューブの開口端下方にカップを配置するようにしている。この吐出チューブ開口端に近接させて設けた希釈水ノズルに冷水回路が接続され、この冷水回路には水ポンプと冷水弁が接続されている。そして、冷却水槽の冷却水に浸漬されている冷水回路を飲料水が通流することにより冷やされた希釈水として供給される。
【０００４】
チューブ式ポンプは、内周面が円弧面となっているチューブガイドと、周上に複数のローラを等間隔に配したロータとの組み合わせからなり、吐出チューブがチューブガイドの内周面に沿ってローラとの間に挟まれるように配されている。ロータは駆動モータに連結され、駆動モータが回転するとロータが回転する。
このような構成の飲料ディスペンサで、チューブ式ポンプの下方にカップをセットし、飲料選択ボタンを操作すると、チューブ式ポンプが始動してロータが回転し、ローラが吐出チューブをチューブガイドの内周面に押しつけ、偏平に変形させてしごき、ＢＩＢから吐出チューブに注入した濃縮飲料をその開口端からカップに吐出する。同時に、冷水回路の水ポンプを始動し、かつ冷水弁が開いて、冷水回路の希釈水を希釈水ノズルから供給する。このようにして供給された濃縮飲料と希釈水からなる飲料が利用者に提供される。
【０００５】
しかしながら、冷蔵庫に収容されているＢＩＢからチューブ式ポンプに配した吐出チューブに沿って冷蔵庫内で冷やされている冷気が洩れると冷蔵庫の冷却効率が悪化する虞がある。
本発明は、上記実情に鑑みて、冷蔵庫にＢＩＢを収容して濃縮飲料を提供する飲料ディスペンサで、効率よくＢＩＢを冷却することができる飲料ディスペンサを提供することを目的とする。
【課題を解決するための手段】
【０００６】
上記目的を達成するため、本発明の請求項１に係る飲料ディスペンサは、ＢＩＢに貯蔵している濃縮飲料をカップに供給する飲料ディスペンサにおいて、
前記ＢＩＢを収容して冷蔵保管する冷蔵庫と、
前記ＢＩＢの底部に接続され、貯蔵している濃縮飲料を吐出する吐出チューブと、
前記冷蔵庫の下方に設けられ、前記吐出チューブをしごいて貯蔵している濃縮飲料を吐出させるチューブ式ポンプと、
前記冷蔵庫からチューブ式ポンプに吐出チューブを通す冷蔵庫底板に設けた底板切欠部と、
前記吐出チューブを通した底板切欠部を閉塞するＢＩＢチューブガイドと、を備えていることを特徴とする。
【０００７】
また、本発明の請求項２に係る飲料ディスペンサは、上述した請求項１において、前記ＢＩＢチューブガイドには、一端に前記冷蔵庫底板に回転自在に枢支する突起軸を設け、他端には、前記冷蔵庫底板を挟持する底板挟持部を設けたことを特徴とする。
【発明の効果】
【０００８】
本発明によれば、冷蔵庫からチューブ式ポンプに吐出チューブを通す冷蔵庫底板に設けた底板切欠部と、吐出チューブを通した底板切欠部を閉塞するＢＩＢチューブガイドと、を備えているため、効率よくＢＩＢを冷却することができる飲料ディスペンサを提供することができるようになる。しかも、ＢＩＢチューブガイドの一端には冷蔵庫底板に回転自在に枢支する突起軸を設け、他端には冷蔵庫底板を挟持する底板挟持部を設けたため、ＢＩＢチューブガイドを取り付けるための部品を別に設ける必要がないので、製造コストの低減に貢献することができる。
【発明を実施するための最良の形態】
【０００９】
以下に添付図面を参照して、本発明に係る飲料ディスペンサの好適な実施の形態について詳細に説明する。なお、この実施の形態によりこの発明が限定されるものではない。
図１は、本発明の実施の形態である飲料ディスペンサ１の外観図である。図１に示すように、飲料ディスペンサ１は、前面に開口を有するディスペンサ本体２と、ディスペンサ本体２の前面開口を開閉可能にする態様で当該ディスペンサ本体２の前面の一側に支承された前扉３とを有し、前扉３の表面には、飲料選択ボタンを備えた操作パネル４が配設してある。また、前扉３の内側下方には、飲料を供給する飲料ノズルやチューブ式ポンプが配設され、その下方には飲料容器であるカップの置き台になるカップレスト５と、飛び散った飲料等を集めるドリップトレイ６が設けられ、飲料ディスペンサ１を支え、高さ調整可能なレベリング調整脚である脚部７を備えている。
【００１０】
図２は、飲料ディスペンサ１の前扉３を開けてディスペンサ本体２の前面を示す図である。ディスペンサ本体２は、冷蔵庫８に収容されているＢＩＢ（Ｂａｇ  Ｉｎ  Ｂｏｘ）９に貯蔵している濃縮飲料を所定量送出するチューブ式ポンプ２０、図示しない炭酸ガスボンベから供給される炭酸ガスの圧力でシロップタンクから圧送されたシロップを通流させる複数のシロップ管路３１、およびその管路途中に設けたシロップ電磁弁３２、飲料水を冷やした希釈水を通流させる希釈水管路３３、その管路途中に設けた希釈水電磁弁３４、飲料水に炭酸ガスボンベから供給される炭酸ガスを溶解させた炭酸水を貯留しているカーボネータから供給された炭酸水を通流させる炭酸水管路３５、その管路途中に設けた炭酸水電磁弁３６が備えられ、これらのシロップ管路３１や希釈水管路３３、炭酸水管路３５の終端部は飲料ノズル４０に接続されている。そして、操作パネル４の飲料選択ボタンが押されると、押された飲料選択ボタンに対応して、チューブ式ポンプ２０が駆動されてＢＩＢ９に貯蔵されている濃縮飲料が吐出チューブ１０から吐出され、同時に冷水回路の水ポンプを始動し、かつ冷水弁を開いて、冷水回路の希釈水を希釈水ノズル２１からカップ（図示せず）に供給する。または、シロップ電磁弁３２と希釈水電磁弁３４または炭酸水電磁弁３６が開放されると、飲料ノズル４０からシロップと希釈水または炭酸水が供給されてドリップトレイ６に載置されたカップに流下する。
【００１１】
図３は冷蔵庫８に収容されているＢＩＢ９に接続している吐出チューブ１０を配したチューブ式ポンプ２０の正面図である。ＢＩＢ９は柔軟性のあるプラスチックシートで作られた濃縮飲料入りの袋を箱形ケースに収納したもので、この袋には柔軟な樹脂製の吐出チューブ１０が接続されている。この吐出チューブ１０の配管経路上にチューブ式ポンプ２０を配置し、チューブ式ポンプ２０に配した吐出チューブ１０の開口端１０ａの下方にカップを配置するようにしている。また、冷蔵庫８からチューブ式ポンプ２０に吐出チューブ１０を通す冷蔵庫底板８ａに設けた底板切欠部８ｂと、吐出チューブ１０を通した底板切欠部８ｂを閉塞するＢＩＢチューブガイド１１とを備えている。チューブ式ポンプ２０の吐出チューブ開口端１０ａに近接させて設けた希釈水ノズル２１に冷水回路（図示せず）が接続され、この冷水回路には水ポンプと冷水弁が接続されている。そして、冷却水槽の冷却水に浸漬されている冷水回路を飲料水が通流することにより冷やされた希釈水として供給される。
【００１２】
チューブ式ポンプ２０は、内周面が円弧面となっているチューブガイド２２と、周上に複数のローラ２４を等間隔に配したロータ２３との組み合わせからなり、吐出チューブ１０が、チューブガイド２２の内周面に沿って、ローラ２４との間に挟まれるように配されている。ロータ２３は駆動モータ（図示せず）に連結され、駆動モータが回転するとロータ２３が回転してローラ２４が吐出チューブ１０をチューブガイド２２の内周面に押しつけ、偏平に変形させてしごき、吐出チューブ１０内の濃縮飲料をその開口端１０ａからカップに吐出する。同時に、冷水回路の水ポンプが始動し、かつ冷水弁が開いて、冷水回路の希釈水を希釈水ノズル２１から供給する。このようにして供給された濃縮飲料と希釈水からなる飲料が利用者に提供される。
【００１３】
図４は底板切欠部８ｂを閉塞するＢＩＢチューブガイド１１を開いている状態を示し、図５はＢＩＢチューブガイド１１で底板切欠部８ｂを閉塞している状態を示す鳥瞰図、図６はＢＩＢチューブガイド１１を冷蔵庫底板８ａに回転自在に枢支する突起軸１１ａの側断面図である。冷蔵庫８からチューブ式ポンプ２０に配する吐出チューブ１０を通す冷蔵庫底板８ａに設けた底板切欠部８ｂと、吐出チューブ１０を通した底板切欠部８ｂを閉塞するＢＩＢチューブガイド１１とを備え、冷蔵庫底板８ａに設けた貫通穴８ｃに回転自在に枢支する突起軸１１ａをＢＩＢチューブガイド１１の一端に設け、ＢＩＢチューブガイド１１の他端には冷蔵庫底板８ａを挟持する底板挟持部１１ｂを設け、貫通穴８ｃに突起軸１１ａを挿入して冷蔵庫底板８ａにＢＩＢチューブガイド１１を取り付ける。
【００１４】
そして、ＢＩＢチューブガイド１１を図４で示すように開いて、冷蔵庫８にＢＩＢ９を収容して吐出チューブ１０を底板切欠部８ｂに通してチューブ式ポンプ２０に配し、ＢＩＢチューブガイド１１を図５に示すように底板挟持部１１ｂで冷蔵庫底板８ａを挟持して閉塞する。このようにして冷蔵庫底板８ａをＢＩＢチューブガイド１１で閉塞すると、底板切欠部８ｂとガイド切欠部１１ｃが嵌合して吐出チューブ１０を封止するので、チューブ冷蔵庫８内で冷やされている冷気が洩れることがなくなり、効率よくＢＩＢを冷却することができる飲料ディスペンサを提供することができる。また、冷蔵庫底板８ａに設けた貫通穴８ｃに回転自在に枢支する突起軸１１ａをＢＩＢチューブガイド１１の一端に設け、ＢＩＢチューブガイド１１の他端には冷蔵庫底板８ａを挟持する底板挟持部１１ｂを設け、貫通穴８ｃに突起軸１１ａを挿入して冷蔵庫底板８ａにＢＩＢチューブガイド１１を取り付けるようにしているので、ＢＩＢチューブガイド１１を取り付けるための部品を別に設ける必要がないので、製造コストの低減に貢献することができる。
【図面の簡単な説明】
【００１５】
【図１】本発明の実施の形態である飲料ディスペンサの外観図である。
【図２】図１に示した飲料ディスペンサの前扉を開けてディスペンサ本体の前面を示す図である。
【図３】図１に示した飲料ディスペンサのＢＩＢに接続している吐出チューブを配したチューブ式ポンプの正面図である。
【図４】図１に示した飲料ディスペンサの底板切欠部を閉塞するＢＩＢチューブガイドを開いている状態を示す鳥瞰図である。
【図５】図１に示した飲料ディスペンサのＢＩＢチューブガイドで底板切欠部を閉塞している状態を示す鳥瞰図である。
【図６】図１に示した飲料ディスペンサのＢＩＢチューブガイドを冷蔵庫底板に回転自在に枢支する突起軸の側断面図である。
【符号の説明】
【００１６】
１      飲料ディスペンサ
２      ディスペンサ本体
３      前扉
８      冷蔵庫
８ａ    冷蔵庫底板
８ｂ    底板切欠部
８ｃ    貫通穴
９      ＢＩＢ
１０      吐出チューブ
１１      ＢＩＢチューブガイド
１１ａ    突起軸
１１ｂ    底板挟持部
１１ｃ    ガイド切欠部
２０      チューブ式ポンプ
２１      希釈水ノズル
４０      飲料ノズル
【図１】
2008195406.tif 000003
【図２】
2008195406.tif 000004
【図３】
2008195406.tif 000005
【図４】
2008195406.tif 000006
【図５】
2008195406.tif 000007
【図６】
2008195406.tif 000008